(57)【要約】【課題】表示部の輝度及び演色性の調整ができるうえに、消費電力を低減させることが出来る液晶表示装置を提供する。【解決手段】本発明に係る液晶表示装置は、輝度及び演色性の異なる２種類の白色発光ダイオードと、何れか１種類又は２種類を点灯させる切替部とを備える。一の種類の白色発光ダイオードは、他の種類の白色発光ダイオードより輝度が高い高輝度白色発光ダイオード４ａ，４ａ，４ａ，４ａであり、他の種類の白色発光ダイオードは、前記一の種類の白色発光ダイオードより演色性が良い高演色白色発光ダイオード４ｂ，４ｂ，４ｂである。これにより、使用場所の明るさ変化に応じて何れか１種類又は２種類の白色光源を点灯させ、輝度及び演色性の調整ができる。【選択図】図２
2008090270.tif 000002
【特許請求の範囲】
【請求項１】
液晶パネルのバックライトとして白色光源を備える液晶表示装置において、
輝度及び演色性の異なる２種類の白色光源と、
何れか１種類又は２種類を点灯させる切替部と
を備えることを特徴とする液晶表示装置。
【請求項２】
一の種類の白色光源は、他の種類の白色光源より輝度が高く、
他の種類の白色光源は、前記一の種類の白色光源より演色性が良いことを特徴とする請求項１に記載の液晶表示装置。
【請求項３】
前記２種類の白色光源は交互的に並設されてあることを特徴とする請求項１又は請求項２に記載の液晶表示装置。
【請求項４】
前記他の種類の白色光源は、複数の発光ダイオードからなることを特徴とする請求項２又は請求項３に記載の液晶表示装置。
【請求項５】
外部の明るさを測定する外光測定部を備え、
前記切替部は前記外光測定部の測定結果に応じて点灯の切替を行うように構成してあることを特徴とする請求項１乃至請求項４の何れか１つに記載の液晶表示装置。
【請求項６】
前記外光測定部の測定結果が閾値以上である場合、前記切替部は２種類の白色光源を点灯させ、
前記外光測定部の測定結果が閾値未満である場合、前記他の種類の白色光源を点灯させるように構成してあることを特徴とする請求項５に記載の液晶表示装置。
【請求項７】
前記切替部は、電圧を変化させて２種類の白色光源又は前記他の種類の白色光源を点灯させる電圧変化部を備え、
該電圧変化部が、前記外光測定部の測定結果に応じ、電圧を変化させるように構成してあることを特徴とする請求項５又は請求項６に記載の液晶表示装置。
【請求項８】
外部の光に係る色温度を検出する検出部と、
該検出部の検出結果に基づき、前記発光ダイオードの発光を制御する発光制御部と
を備えることを特徴とする請求項４に記載の液晶表示装置。
【発明の詳細な説明】
【技術分野】
【０００１】
本発明は、液晶パネルを照明する白色光源を備えた液晶表示装置に関する。
【背景技術】
【０００２】
現在、カメラ付き携帯電話機、デジタルカメラ等の電気機器には、白色発光ダイオードをバックライト源（白色光源）とした液晶表示装置が用いられている。
【０００３】
現在主流を占めている白色発光ダイオードは、青色発光ダイオードとその補色となる黄色の蛍光体（ＹＡＧ）から構成されているものであり、青色発光ダイオードからの発光の一部を蛍光体により黄色に変換し、自身の青色と組み合わせて白色を構成することで白色を作り出す。この構成は、蛍光体励起光源および白色光の構成成分に青色発光ダイオードの光そのものを利用するため、液晶表示装置に使用された場合、画面を明るくしやすいという特徴がある。
【０００４】
一方、白色発光ダイオードは高い輝度及び演色性が要求される。演色性は色再現性の指標であり、いかに基準光源による色彩を忠実に再現しているかを示すものである。一般には平均演色評価数Ｒａで表し、１００に近いほど演色性が良い。また、白色光は単色光ではなく、光の三原色によって実現される色であるので単一の発光ダイオードのみでは実現が非常に難しい。従って、一般的に白色光源とは白色光に近似する光のもとを言う。
【０００５】
しかしながら、上述のように青色発光ダイオードと黄色の蛍光体とから構成される白色発光ダイオードは、色の成分としては青色と黄色のみで構成されているので、どうしても擬似的な白色光しか作れず、演色性が劣るうえに、発光色度のバラツキが大きいので複数の白色発光ダイオードを使用する場合は、画面のホワイトバランスの調整が困難となると言った問題があった。
【０００６】
このような問題を解決するため、特許文献１では、白色発光ダイオードの近傍に色度補正用発光ダイオードを設けた発光部と、前記色度補正用発光ダイオードの電流を制御する電流設定手段とを設けた液晶表示装置を提案している。この液晶表示装置は、発光部の色度が所定値になるように前記色度補正用発光ダイオードの電流を制御し、白色発光ダイオードの発光色度のバラツキを補償する。
【０００７】
一方、近年、バックライト源だけでなく、太陽光などの外光を用いて液晶表示装置の液晶パネルを照明する技術も実用化されている。このような外光を用いた液晶表示装置は、外光と内蔵光源とを併用して液晶パネルを照明することにより、消費電力を低減させることが出来る。
【０００８】
このような液晶表示装置は輝度センサーを設け、外光の明るさが閾値以下であるか以上であるかによって内蔵光源である白色発光ダイオードを点灯又は消灯させる制御を行う。従って、外光の明るさが閾値付近で変化する場合は、白色発光ダイオードが頻繁に点灯及び消灯を繰返し、ユーザに不愉快感を与えるといった問題があった。
【０００９】
このような問題を解決するため、特許文献２では、外光の明るさを測定し、測定結果が所定値（第１の閾値）以上である場合は外光を光源とし、測定結果が第１の閾値より小さい第２の閾値未満である場合は、白色発光ダイオードを光源とし、前記第１の閾値未満かつ第２の閾値以上である場合は、測定時に既に選択されている光源を継続して光源として用いるように構成した撮像装置を提案している。これにより、白色発光ダイオードを頻繁に点灯及び消灯させることが無くなり、照明状態を安定させることが出来る。
【特許文献１】特開２００１−２０９０４９号公報
【特許文献２】特開２００５−１３０３２５号公報
【発明の開示】
【発明が解決しようとする課題】
【００１０】
一方、カメラ付き携帯電話機、デジタルカメラ等の電気機器は屋内及び屋外での使用を目的としているので、このような使用環境の変化に応じた表示が要求される。つまり、太陽光の下で使用する場合は太陽光が表示パネルで反射するので画像の視認性が劣り、表示コンテンツが見にくくなるので輝度を高くする必要がある。一方、屋内で高画質のコンテンツを楽しもうとする場合は、演色性を高めて高画質の特長を生かす必要がある。しかしながら、このような要求は、上述の特許文献１の液晶表示装置及び特許文献２の撮像装置では対応できていない。
【００１１】
本発明は、斯かる事情に鑑みてなされたものであり、その目的は、輝度及び演色性の異なる２種類の白色光源を備えることにより、使用場所の明るさ変化に応じて何れか１種類又は２種類の白色光源を点灯させ、表示部の輝度及び演色性の調整ができるうえに、消費電力を低減させることが出来る液晶表示装置を提供することにある。
【００１２】
また、本発明の他の目的は、前記２種類の白色光源の内一の種類の白色光源は、他の種類の白色光源より輝度が高く、他の種類の白色光源は、前記一の種類の白色光源より演色性が良いように構成することにより、高輝度又は高演色性の要求に夫々対応できる液晶表示装置を提供することにある。
【００１３】
また、本発明の他の目的は、前記２種類の白色光源を交互的に並設してあることにより、２種類又は何れか１種類の白色光源が点灯する場合、色のムラが発生することを防止することが出来る液晶表示装置を提供することにある。
【００１４】
また、本発明の他の目的は、前記他の種類の白色光源が複数の発光ダイオードからなることにより、発光ダイオード毎の制御で前記白色光源からの光の輝度、演色性等の細かい調整が可能である液晶表示装置を提供することにある。
【００１５】
また、本発明の他の目的は、外部の明るさを測定する外光測定部を備え、該外光測定部の測定結果に応じ、前記切替部が点灯の切替を行うように構成することにより、例えば使用場所の明るさ変化などに対応することが出来る液晶表示装置を提供することにある。
【００１６】
また、本発明の他の目的は、外光測定部の測定結果が閾値以上である場合は２種類の白色光源を点灯させ、閾値未満である場合は演色性が良い白色光源を点灯させることにより、使用場所の明るさの変化に応じ、輝度又は演色性を調整することが出来る液晶表示装置を提供することにある。
【００１７】
また、本発明の他の目的は、電圧を変化させて２種類の白色光源又は前記他の種類の白色光源を点灯させる電圧変化部を備え、該電圧変化部が前記外光測定部の測定結果に応じ、電圧を変化させるように構成することにより、使用場所の明るさ変化に応じて前記電圧変化部が印加する電圧を変化させ、輝度又は演色性の調整を行うことが出来る液晶表示装置を提供することにある。
【００１８】
また、本発明の他の目的は、外部の光に係る色温度を検出する検出部を備え、該検出部の検出結果に基づき、前記発光ダイオードの発光を制御することにより、例えば使用場所変更による光の色温度変化に応じて前記発光ダイオードの発光強度を制御し、画像のホワイトバランスを一定に保つことが出来る液晶表示装置を提供することにある。
【課題を解決するための手段】
【００１９】
本発明に係る液晶表示装置は、液晶パネルのバックライトとして白色光源を備える液晶表示装置において、輝度及び演色性の異なる２種類の白色光源と、何れか１種類又は２種類を点灯させる切替部とを備えることを特徴とする。
【００２０】
本発明にあっては、輝度及び演色性の異なる２種類の白色光源を備えており、前記切替部が前記２種類のすべて又は２種類の内何れか１種類のみを点灯させることにより、輝度又は演色性の調整を行う。
【００２１】
本発明に係る液晶表示装置は、一の種類の白色光源は、他の種類の白色光源より輝度が高く、他の種類の白色光源は、前記一の種類の白色光源より演色性が良いことを特徴とする。
【００２２】
本発明にあっては、屋外の太陽光の下のように、高輝度が要求されるときは、前記切替部が２種類の白色光源全てを点灯させ、表示部の輝度を高くする。一方、屋内では、演色性の良い方の白色光源のみを点灯させ、演色性を高めて高画質のコンテンツに対応する。
【００２３】
本発明に係る液晶表示装置は、前記２種類の白色光源は交互的に並設されてあることを特徴とする。
【００２４】
本発明にあっては、前記２種類の白色光源が交互的に並設されており、前記２種類の内何れか１種類の白色発光ダイオードのみを点灯させる場合は、各種類の白色発光ダイオードが略等しい位置で液晶パネルを照明する。また、２種類のすべてを点灯させた場合は、隣り合う２種類の白色発光ダイオード夫々の白色を組み合わせて白色を作り出し、液晶パネルを照明する。
【００２５】
本発明に係る液晶表示装置は、前記他の種類の白色光源は、複数の発光ダイオードからなることを特徴とする。
【００２６】
本発明にあっては、前記複数の発光ダイオードを個別制御し、前記他の種類の白色光源からの光の輝度、演色性等の細かい調整を行う。
【００２７】
本発明に係る液晶表示装置は、外部の明るさを測定する外光測定部を備え、前記切替部は前記外光測定部の測定結果に応じて点灯の切替を行うように構成してあることを特徴とする。
【００２８】
本発明にあっては、前記外光測定部が外部の明るさを測定し、測定結果に応じて何れか１種類又は２種類を点灯させる。例えば、昼間、日暮れ、夜などの明るさ変化に応じて前記切替部が点灯の切換を行う。
【００２９】
本発明に係る液晶表示装置は、前記外光測定部の測定結果が閾値以上である場合、前記切替部は２種類の白色光源を点灯させ、前記外光測定部の測定結果が閾値未満である場合、前記他の種類の白色光源を点灯させるように構成してあることを特徴とする。
【００３０】
本発明にあっては、前記外光測定部の測定結果が閾値以上である場合は、前記切替部は２種類の白色光源を点灯させて輝度を高める。また、前記外光測定部の測定結果が閾値未満である場合は、演色性の良い方の白色光源のみを点灯させて演色性を高くする。
【００３１】
本発明に係る液晶表示装置は、前記切替部は、電圧を変化させて２種類の白色光源又は前記他の種類の白色光源を点灯させる電圧変化部を備え、該電圧変化部が、前記外光測定部の測定結果に応じ、電圧を変化させるように構成してあることを特徴とする。
【００３２】
本発明にあっては、前記外光測定部の測定結果が閾値以上である場合は、前記電圧変化部が２種類の白色光源を点灯させるための電圧を印加し、２種類の白色光源を点灯させる。また、前記外光測定部の測定結果が閾値未満である場合は、前記電圧変化部が印加する電圧を変化させ、演色性の良い方の白色光源のみを点灯させる。
【００３３】
本発明に係る液晶表示装置は、外部の光に係る色温度を検出する検出部と、該検出部の検出結果に基づき、前記発光ダイオードの発光を制御する発光制御部とを備えることを特徴とする。
【００３４】
本発明にあっては、前記検出部が外部の光に係る色温度を検出する。前記検出部の検出結果に基づき、前記発光制御部は例えば前記発光ダイオードの発光強度を個別的に制御し、画像のホワイトバランスを一定に保つ。
【発明の効果】
【００３５】
本発明によれば、輝度及び演色性の異なる２種類の白色光源及び切替部を備えるので、必要に応じて表示部の輝度及び演色性の調整ができるうえに、消費電力を低減させることが出来る。
【００３６】
本発明によれば、前記２種類の白色光源の内一の種類の白色光源は、他の種類の白色光源より輝度が高く、他の種類の白色光源は、前記一の種類の白色光源より演色性が良いように構成してあるので、高輝度又は高演色性の要求に夫々対応することが出来る。
【００３７】
本発明によれば、前記２種類の白色光源が交互的に並設されているので、各種類の白色発光ダイオードが略等しい位置から液晶パネルを照明し、特に、２種類のすべてを点灯させた場合は、隣り合う２種類の白色発光ダイオード夫々の白色を組み合わせて白色を作り出して液晶パネルを照明する。従って、液晶パネルに色のムラが発生することが防止出来る。
【００３８】
本発明によれば、前記他の種類の白色光源が複数の発光ダイオードからなるので、発光ダイオード毎の制御ができ、前記白色光源からの光の輝度、演色性等の細かい調整が可能である。
【００３９】
本発明によれば、外部の明るさを測定する外光測定部の測定結果に応じ、前記切替部が点灯の切替を行うように構成してあるので、例えば、昼間、日暮れ及び夜のように一日中の明るさ変化に対応することが出来る。
【００４０】
本発明によれば、外光測定部の測定結果が閾値以上である場合は２種類の白色光源を点灯させ、閾値未満である場合は演色性が良い白色光源を点灯させるように構成しているので、使用場所の明るさ変化に応じ、輝度又は演色性を調整することが出来る。
【００４１】
本発明によれば、電圧を変化させて２種類の白色光源又は前記他の種類の白色光源を点灯させる電圧変化部を備えているので、前記電圧変化部が前記外光測定部の測定結果に応じて電圧を変化させ、使用場所の明るさ変化に応じて輝度又は演色性の調整を行うことが出来る。
【００４２】
本発明によれば、例えば使用場所変更による光の色温度変化に応じて、前記各発光ダイオードの発光強度を制御し、使用場所変更による光の色温度変化に係わらず、画像のホワイトバランスを一定に保つことが出来る。
【発明を実施するための最良の形態】
【００４３】
以下、本発明をその実施の形態を示す図面に基づいて詳述する。
（実施の形態１）
図１は、本発明に係る液晶表示装置を備える撮像装置の略示斜視図である。本発明に係る撮像装置は、略直方体の筐体１０及び表示部２を備えている。筐体１０の正面にはレンズ６が設けられている。背面視で筐体１０の左側面中、正面側部分には、回転ヒンジ１１が縦向きに設けられており、回転ヒンジ１１により表示部２が開閉自在に枢支されている。背面視で筐体１０の右側の下部には電源スイッチ３０、記録ボタン３１を備えている。
【００４４】
表示部２は、液晶パネル２０を備えている。液晶パネル２０の周囲及び裏面（図示せず）はハウジング２１により覆われており、液晶パネル２０は一面を表示面２０ａとして露出している。ハウジング２１は、表示部２の開閉を検出するための凸部２１ａを、表示面２０ａの上側の部位に形成しており、筐体１０は、表示部２の開閉により凸部２１ａが当接する左側面の部位に開閉検出スイッチ１２を備えている。つまり、表示部２の開閉によって、凸部２１ａが開閉検出スイッチ１２をオン／オフするように構成されている。表示部２が閉じた場合、開閉検出スイッチ１２はオンの状態になり、表示部２が開いた場合、開閉検出スイッチ１２はオフの状態になる。
【００４５】
図２は、液晶パネル２０を照明する白色発光ダイオード（白色光源）の配置を示す模式図である。説明の便宜上、液晶パネル２０の図示は省略している。ハウジング２１と液晶パネル２０の裏面との間には、液晶パネル２０を照明するバックライト２２が設けられている。バックライト２２は、白色発光ダイオード群からなる発光ダイオードモジュール４と、発光ダイオードモジュール４からの光を液晶パネル２０へと導く導光板１６とを備える。発光ダイオードモジュール４は、導光板１６の下端辺に沿って配されており、各発光ダイオードの光が導光板１６に届くように、各発光ダイオードのヘッドが導光板１６に臨むように設けている。また、発光ダイオードモジュール４は２種類の白色発光ダイオードから成り、一の種類の白色発光ダイオードは他の種類の白色発光ダイオードより輝度が高い。他の種類の白色発光ダイオードは一の種類の白色発光ダイオードより演色性が良い。また、発光ダイオードモジュール４は、直列に接続された４つの輝度が高い高輝度白色発光ダイオード４ａ，４ａ，４ａ，４ａと、直列に接続された３つの演色性が良い高演色白色発光ダイオード４ｂ，４ｂ，４ｂとからなり、高輝度白色発光ダイオードの数が高演色白色発光ダイオードの数より多い。各種類の白色発光ダイオードは交互的に並設されており、図中には高輝度白色発光ダイオード４ａ，４ａ，４ａ，４ａのみをハッチングして、高演色白色発光ダイオード４ｂ，４ｂ，４ｂと区別している。
【００４６】
例えば、高輝度白色発光ダイオード４ａ，４ａ，４ａ，４ａは、青色発光ダイオードと黄色蛍光体（Ｃａ‐αサイアロン）とから構成されている白色発光ダイオードであり、高演色白色発光ダイオード４ｂ，４ｂ，４ｂは、青色発光ダイオードと赤色蛍光体（ＣａＡｌＳｉＮ3 ）と緑色蛍光体（βサイアロン）とから構成されている白色発光ダイオードである。
【００４７】
図３は、高輝度白色発光ダイオード４ａ，４ａ，４ａ，４ａ及び高演色白色発光ダイオード４ｂ，４ｂ，４ｂの放射強度（輝度）を示すグラフである。横軸は波長（ｎｍ）を示しており、縦軸は放射強度を示している。点線は高輝度白色発光ダイオード４ａ，４ａ，４ａ，４ａを示しており、実線は高演色白色発光ダイオード４ｂ，４ｂ，４ｂを示す。高輝度白色発光ダイオード４ａ，４ａ，４ａ，４ａ及び高演色白色発光ダイオード４ｂ，４ｂ，４ｂは、青色発光ダイオードの発光により励起されるので、青色発光ダイオードの光波長である４７０ｎｍ付近で最高ピークを有する。４７０ｎｍ付近で高輝度白色発光ダイオードは高演色白色発光ダイオードより、約２倍高い放射強度を示している。
【００４８】
また、高輝度白色発光ダイオード４ａ，４ａ，４ａ，４ａ及び高演色白色発光ダイオード４ｂ，４ｂ，４ｂの演色性については、例えば、平均演色評価数が夫々８０Ｒａ及び９０Ｒａである。
【００４９】
図４は、実施の形態１に係る撮像装置の構成を示すブロック図である。外部の明るさを測定する例えば輝度センサーからなる外光測定部７と、前述の発光ダイオードモジュール４と、制御部７０の指示に応じて高輝度白色発光ダイオード４ａ，４ａ，４ａ，４ａ及び高演色白色発光ダイオード４ｂ，４ｂ，４ｂの点灯、又は高演色白色発光ダイオード４ｂ，４ｂ，４ｂのみの点灯の切替を行う切替スイッチ（切替部）９と、開閉検出スイッチ１２と、電源スイッチ３０及び記録ボタン３１を含む操作部３３とが接続された制御部７０を有する。制御部７０内のメモリ（図示せず）には、外光測定部７による測定結果との比較を行うための閾値を記憶している。
【００５０】
また、撮像装置は、レンズ６の後方に撮像素子７１（撮像手段）を備えている。撮像素子７１は、例えばアスペクト比が４／３のＣＣＤを用いて構成されており、レンズ６で集光して結像した像をアナログの撮像信号に光電変換し、光電変換した撮像信号をＡ／Ｄ変換部７２へ出力する。撮像素子７１の光電変換は、制御部７０により制御される。
【００５１】
Ａ／Ｄ変換部７２は、アナログの撮像信号をデジタルの撮像データにＡＤ変換し、ＡＤ変換した撮像データを信号処理部７３へ出力する。信号処理部７３は、ＤＳＰ（Ｄｉｇｉｔａｌ Ｓｉｇｎａｌ Ｐｒｏｃｅｓｓｏｒ）を用いてなり、Ａ／Ｄ変換部７２から出力された撮像データをＳＲＡＭ、ＳＤＲＡＭ等の作業用のメモリ７４に書き込む機能と、撮像データを表示用の信号に変換して液晶パネル２０へ出力する機能とを有している。液晶パネル２０は、信号処理部７３から出力された信号に基づいて撮像データに係る画像を表示する。
【００５２】
また、信号処理部７３は、メモリ７４に書き込んだ撮像データをＭｏｔｉｏｎＪＰＥＧ又はＭＰＥＧ等の圧縮伸張方式により圧縮する機能と、圧縮した撮像データを記録再生部７５へ出力し、記録再生部７５に着脱自在に装着された記録媒体Ａに撮像データを記録する機能とを有している。記録媒体Ａは、磁気テープ又は半導体メモリ等である。
【００５３】
図５は、実施の形態１に係る撮像装置の発光ダイオードモジュール４及び制御部７０の回路図である。発光ダイオードモジュール４は一定の電圧を印加する電源１５と、高輝度白色発光ダイオード４ａ，４ａ，４ａ，４ａ及び高演色白色発光ダイオード４ｂ，４ｂ，４ｂの点灯、又は高演色白色発光ダイオード４ｂ，４ｂ，４ｂのみの点灯を切り替える切替スイッチ９と接続している。また、定電流源１４を備え、制限電流を超えたとき、それ以上の電流が流れないように電圧を制御し、発光ダイオードモジュール４の回路を負荷の短絡及び過負荷から保護する。制御部７０は、外光測定部７の測定結果に応じ、切替スイッチ９にスイッチの切替を指示する。
【００５４】
発光ダイオードモジュール４は、４つの高輝度白色発光ダイオード４ａ，４ａ，４ａ，４ａが直列に接続した高輝度白色発光ダイオード列と、３つの高演色白色発光ダイオード４ｂ，４ｂ，４ｂが直列に接続した高演色白色発光ダイオード列とからなる。高演色白色発光ダイオード列と高輝度白色発光ダイオード列とは直列に接続しており、高演色白色発光ダイオード列は電源１５の陽極と接続している。高輝度白色発光ダイオード列はリード線を介して切替スイッチ９と接続している。また、高演色白色発光ダイオード列及び高輝度白色発光ダイオード列の間には分岐リード線４ｃを設けており、分岐リード線４ｃは切替スイッチ９と接続している。
【００５５】
切替スイッチ９は、２つの切替側端子９ａ，９ｂと、１つの共用側端子９ｃとを有している。２つの切替側端子の内一は高輝度白色発光ダイオード列と接続する切替側端子９ａであり、他は分岐リード線４ｃと接続する切替側端子９ｂである。切替側端子９ａ及び共用側端子９ｃを接続した場合、電源１５から流れる電流は高演色白色発光ダイオード４ｂ，４ｂ，４ｂ及び高輝度白色発光ダイオード４ａ，４ａ，４ａ，４ａに流れるようになる。一方、切替側端子９ｂ及び共用側端子９ｃを接続する場合、電源１５から流れる電流は高演色白色発光ダイオード４ｂ，４ｂ，４ｂへのみ流れるようになる。
【００５６】
以下に、高輝度白色発光ダイオード４ａ，４ａ，４ａ，４ａ及び高演色白色発光ダイオード４ｂ，４ｂ，４ｂの点灯、又は高演色白色発光ダイオード４ｂ，４ｂ，４ｂのみの点灯を切り替える制御について説明する。
【００５７】
撮像装置の電源がオンになった場合、外光測定部７は外部の明るさを測定する。例えば、太陽光の下で使用しており、外光測定部７の測定結果が閾値以上である場合、制御部７０は切替スイッチ９に切替側端子９ａへの切替を指示する。切替スイッチ９は制御部７０の指示に応じ、共用側端子９ｃ及び切替側端子９ａを接続する。従って、電源１５からの電流は高輝度白色発光ダイオード４ａ，４ａ，４ａ，４ａ及び高演色白色発光ダイオード４ｂ，４ｂ，４ｂに流れ、高輝度白色発光ダイオード４ａ，４ａ，４ａ，４ａ及び高演色白色発光ダイオード４ｂ，４ｂ，４ｂを点灯させて輝度を高め、画像の視認性を高める。
【００５８】
一方、屋内で使用することにより、外光測定部７の測定結果が閾値未満である場合、制御部７０は切替スイッチ９に切替側端子９ｂへの切替を指示する。切替スイッチ９は制御部７０の指示に応じ、共用側端子９ｃ及び切替側端子９ｂを接続する。従って、電流は高輝度白色発光ダイオード４ａ，４ａ，４ａ，４ａの方には流れずに、高演色白色発光ダイオード４ｂ，４ｂ，４ｂにのみ流れることとなり、高演色白色発光ダイオード４ｂ，４ｂ，４ｂのみが点灯されて液晶パネル２０の演色性が高まり、高画質の画像の本来の色を楽しむことが出来るうえに、消費電力を低減することが出来る。
【００５９】
実施の形態１においては、外光測定部７の測定結果に応じて切替スイッチ９が切替側端子９ａ、９ｂの接続を切り替え、高輝度白色発光ダイオード４ａ，４ａ，４ａ，４ａ及び高演色白色発光ダイオード４ｂ，４ｂ，４ｂの点灯、又は高演色白色発光ダイオード４ｂ，４ｂ，４ｂのみの点灯を切り替える場合について説明したが、これに限るものではない。つまり、撮像装置に点灯の切替を行うための操作ボタンを設け、ユーザが必要に応じて点灯の切替を行うように構成しても良い。
【００６０】
（実施の形態２）
図６は、実施の形態２に係る撮像装置の構成を示すブロック図である。撮像装置は、発光ダイオードモジュール４と、発光ダイオードモジュール４の高輝度白色発光ダイオード４ａ，４ａ，４ａ，４ａ又は高演色白色発光ダイオード４ｂ，４ｂ，４ｂの点灯を制御するための差動回路部１７と、外部の明るさを測定する例えば輝度センサーからなる外光測定部７と、開閉検出スイッチ１２と、操作部３３とが接続された制御部７０を有する。
【００６１】
差動回路部１７は基準電圧と可変のバイアス電圧との差に基づき、発光ダイオードモジュール４の高輝度白色発光ダイオード４ａ，４ａ，４ａ，４ａ又は高演色白色発光ダイオード４ｂ，４ｂ，４ｂの点灯の制限を行うものであり、制御部７０の指示により、後述のＤＡＣ１７ｃが前記バイアス電圧の制御することにより、前記電流の制限が行われる。
【００６２】
また、撮像装置はレンズ６と、撮像素子７１と、Ａ／Ｄ変換部７２と、信号処理部７３、記録再生部７５などとを備えている。
【００６３】
図７は、実施の形態２に係る撮像装置の発光ダイオードモジュール４及び制御部７０の回路図である。発光ダイオードモジュール４は、電源１５及び差動回路部１７と接続している。また、定電流源１４を備え、発光ダイオードモジュール４の回路を負荷の短絡及び過負荷から保護する。制御部７０は、外光測定部７の測定結果に応じ、差動回路部１７のデジタル／アナログ変換器（以下、ＤＡＣ（Ｄｉｇｉｔａｌ  ｔｏ  Ａｎａｌｏｇ  Ｃｏｎｖｅｒｔｅｒ）と言う）１７ｃを制御する。
【００６４】
発光ダイオードモジュール４は、４つの高輝度白色発光ダイオード４ａ，４ａ，４ａ，４ａが直列に接続した高輝度白色発光ダイオード列と、３つの高演色白色発光ダイオード４ｂ，４ｂ，４ｂが直列に接続した高演色白色発光ダイオード列とが直列に接続している。高演色白色発光ダイオード列のアノード側は電源１５の陽極と接続しており、高輝度白色発光ダイオード列のカソード側は差動回路部１７と接続している。また、高演色白色発光ダイオード列及び高輝度白色発光ダイオード列の間には分岐リード線４ｃを設けており、高演色白色発光ダイオード列は分岐リード線４ｃを通じて差動回路部１７と接続している。
【００６５】
差動回路部１７は、２つのトランジスタ１７ａ及びトランジスタ１７ｂ並びに、トランジスタ１７ｂのバイアス電圧を制御するＤＡＣ１７ｃを備えている。
【００６６】
トランジスタ１７ａのコレクタ側端子は分岐リード線４ｃと接続しており、トランジスタ１７ａのベース側端子は基準電圧（Ｖref ）の陽極と接続している。また、トランジスタ１７ａのエミッタ側端子は定電流源１４と接続している。
【００６７】
一方、トランジスタ１７ｂのコレクタ側端子は高輝度白色発光ダイオード列のカソード側と接続しており、トランジスタ１７ｂのベース側端子はＤＡＣ１７ｃと接続している。また、トランジスタ１７ｂのエミッタ側端子は定電流源１４と接続している。トランジスタ１７ｂのベース側端子に接続するＤＡＣ１７ｃは、外光測定部７の測定結果に基づく制御部７０の指示に応じてトランジスタ１７ｂのバイアス電圧（Ｖ17b ）を変化させる。
【００６８】
例えば、Ｖref ＞＞Ｖ17b の関係にある場合は、電源１５からの電流は高演色白色発光ダイオード列及び分岐リード線４ｃを通じてトランジスタ１７ａへ流れることとなる。従って、高演色白色発光ダイオード４ｂ，４ｂ，４ｂの高演色白色発光ダイオード列のみが点灯する。一方、Ｖ17b ＞＞Ｖref の関係にある場合は、電源１５からの電流は高演色白色発光ダイオード列及び高輝度白色発光ダイオード列を通じてトランジスタ１７ｂへ流れる。従って、高演色白色発光ダイオード４ｂ，４ｂ，４ｂの高演色白色発光ダイオード列及び高輝度白色発光ダイオード４ａ，４ａ，４ａ，４ａの高輝度白色発光ダイオード列が点灯する。Ｖ17b ≒Ｖref の場合は、高演色白色発光ダイオード列及び高輝度白色発光ダイオード列が点灯するが、Ｖ17b の細かい変化により、高輝度白色発光ダイオード列に流れる電流量が可変される。
【００６９】
以下に、実施の形態２において、高輝度白色発光ダイオード４ａ，４ａ，４ａ，４ａ及び高演色白色発光ダイオード４ｂ，４ｂ，４ｂの点灯、又は高演色白色発光ダイオード４ｂ，４ｂ，４ｂのみの点灯を制御する作動について説明する。
【００７０】
撮像装置の電源がオンになった場合、外光測定部７は外部の明るさを測定する。例えば、太陽光の下で使用しており、外光測定部７の測定結果が閾値以上である場合、制御部７０はＤＡＣ１７ｃに、トランジスタ１７ｂのバイアス電圧（Ｖ17b ）を基準電圧（Ｖref ）より、大きく上げるように指示する。ＤＡＣ１７ｃは制御部７０の指示に応じ、トランジスタ１７ｂのバイアス電圧（Ｖ17b ）を上げる。従って、電源１５からの電流は高輝度白色発光ダイオード４ａ，４ａ，４ａ，４ａ及び高演色白色発光ダイオード４ｂ，４ｂ，４ｂに流れ、高輝度白色発光ダイオード４ａ，４ａ，４ａ，４ａ及び高演色白色発光ダイオード４ｂ，４ｂ，４ｂを点灯させて輝度を高め、画像の視認性を高める。
【００７１】
一方、屋内で使用することにより、外光測定部７の測定結果が閾値未満である場合、制御部７０はＤＡＣ１７ｃに、トランジスタ１７ｂのバイアス電圧（Ｖ17b ）を基準電圧（Ｖref ）より、大きく下げるように指示する。ＤＡＣ１７ｃは制御部７０の指示に応じ、トランジスタ１７ｂのバイアス電圧（Ｖ17b ）を下げる。従って、電流は高輝度白色発光ダイオード４ａ，４ａ，４ａ，４ａの方には流れずに、高演色白色発光ダイオード４ｂ，４ｂ，４ｂにのみ流れることとなり、高演色白色発光ダイオード４ｂ，４ｂ，４ｂのみが点灯されて液晶パネル２０の演色性が高まり、高画質の画像の本来の色を楽しむことが出来るうえに、消費電力を低減することが出来る。
【００７２】
屋外であっても陰の中である場合、屋内であっても照明器具の真下である場合等には、制御部７０はＤＡＣ１７ｃに、トランジスタ１７ｂのバイアス電圧（Ｖ17b ）を基準電圧（Ｖref ）に近似する値に合わせるように指示する。ＤＡＣ１７ｃは制御部７０の指示に応じ、トランジスタ１７ｂのバイアス電圧（Ｖ17b ）の制御を行う。詳しくは、トランジスタ１７ｂのバイアス電圧（Ｖ17b ）を制御し、基準電圧（Ｖref ）より少し高い／低いようにすることによって高演色白色発光ダイオード４ｂ，４ｂ，４ｂ点灯させると共に、高輝度白色発光ダイオード４ａ，４ａ，４ａ，４ａに流す電流を増減させるものである。
【００７３】
実施の形態２においては、高輝度白色発光ダイオード列に流れる電流のみが可変である場合を例として説明したが、これに限るものでない。例えば、高演色白色発光ダイオード列及び高輝度白色発光ダイオード列毎に駆動回路を設け、何れに対しても電流を制御出来るように構成しても良い。
【００７４】
実施の形態１と同様の部分については、同一の符号を付して詳細な説明を省略する。
【００７５】
（実施の形態３）
図８は、実施の形態３に係る撮像装置の構成を示すブロック図である。撮像装置は、発光ダイオードモジュール４と、発光ダイオードモジュール４へ印加する電圧を変化させる電圧変化部８と、外部の明るさを測定する例えば輝度センサーからなる外光測定部７と、開閉検出スイッチ１２と、操作部３３とが接続された制御部７０を有する。
【００７６】
電圧変化部８は、例えばＤＣ‐ＤＣコンバータから成り、制御部７０の指示に応じて発光ダイオードモジュール４へ印加する電圧を変化させることにより、高輝度白色発光ダイオード４ａ，４ａ，４ａ，４ａ及び高演色白色発光ダイオード４ｂ，４ｂ，４ｂの点灯、又は高演色白色発光ダイオード４ｂ，４ｂ，４ｂのみの点灯の切替を行う。
【００７７】
また、撮像装置はレンズ６と、撮像素子７１と、Ａ／Ｄ変換部７２と、信号処理部７３、記録再生部７５などとを備えている。
【００７８】
図９は、実施の形態３に係る撮像装置の発光ダイオードモジュール４及び制御部７０の回路図である。発光ダイオードモジュール４は、実施の形態１と同様に４つの高輝度白色発光ダイオード４ａ，４ａ，４ａ，４ａが直列に接続した高輝度白色発光ダイオード列と、３つの高演色白色発光ダイオード４ｂ，４ｂ，４ｂが直列に接続した高演色白色発光ダイオード列とを有している。高輝度白色発光ダイオード列及び高演色白色発光ダイオード列は電圧変化部８に並列に接続している。特に、高輝度白色発光ダイオード列と電圧変化部８との間には、所定以下の電圧が印加された場合は、確実に高輝度白色発光ダイオード列へ電流が流れないようにするための抵抗１３を設けている。ここで、Ｖを各白色発光ダイオードの電圧、Ｖｒを抵抗１３の電圧、Ｖａを高輝度白色発光ダイオード４ａ，４ａ，４ａ，４ａを点灯させるための電圧、Ｖｂを高演色白色発光ダイオード４ｂ，４ｂ，４ｂを点灯させるための電圧をとした場合、Ｖａ＝Ｖ×４＋Ｖｒ、Ｖｂ＝Ｖ×３であり、Ｖａ＞Ｖｂの関係にある。制御部７０は、外光測定部７の測定結果に応じ、電圧変化部８に電圧変化を指示する。
【００７９】
以下に、高輝度白色発光ダイオード４ａ，４ａ，４ａ，４ａ及び高演色白色発光ダイオード４ｂ，４ｂ，４ｂの点灯、又は高演色白色発光ダイオード４ｂ，４ｂ，４ｂのみの点灯を切り替える制御について説明する。
【００８０】
撮像装置の電源がオンになった場合、外光測定部７は外部の明るさを測定する。例えば、太陽光の下で使用しており、外光測定部７の測定結果が閾値以上である場合、制御部７０は電圧変化部８に電圧Ｖａの印加を指示する。電圧変化部８は制御部７０の指示に応じ、電圧Ｖａを印加する。従って、電流は高輝度白色発光ダイオード４ａ，４ａ，４ａ，４ａ及び高演色白色発光ダイオード４ｂ，４ｂ，４ｂに流れ、高輝度白色発光ダイオード４ａ，４ａ，４ａ，４ａ及び高演色白色発光ダイオード４ｂ，４ｂ，４ｂが点灯されて輝度が高くなり、画像の視認性が高くなる。
【００８１】
一方、屋内で使用することにより、外光測定部７の測定結果が閾値未満である場合、制御部７０は電圧変化部８に電圧Ｖｂの印加を指示する。電圧変化部８は制御部７０の指示に応じ、電圧Ｖｂを印加する。この場合、印加された電圧Ｖｂは、高輝度白色発光ダイオード４ａ，４ａ，４ａ，４ａを点灯させるための電圧Ｖａより小さい。従って、電流は高輝度白色発光ダイオード列の方には流れずに、高演色白色発光ダイオード列にのみ流れることとなり、高演色白色発光ダイオード４ｂ，４ｂ，４ｂのみが点灯される。つまり、演色性の劣る高輝度白色発光ダイオード４ａ，４ａ，４ａ，４ａを消灯させて演色性の良い高演色白色発光ダイオード４ｂ，４ｂ，４ｂのみを点灯させることにより、液晶パネル２０の演色性が高まり、高画質の画像の本来の色を楽しむことが出来るうえに、消費電力を低減することが出来る。
【００８２】
実施の形態３においては、外光測定部７の測定結果に応じて電圧変化部８が印加する電圧を変化させ、高輝度白色発光ダイオード４ａ，４ａ，４ａ，４ａ及び高演色白色発光ダイオード４ｂ，４ｂ，４ｂの点灯、又は高演色白色発光ダイオード４ｂ，４ｂ，４ｂのみの点灯を切り替える場合について説明したが、これに限るものではない。つまり、撮像装置に点灯の切替を行うための操作ボタンを設け、ユーザが必要に応じて点灯の切替を行うように構成しても良い。
【００８３】
実施の形態１及び実施の形態２と同様の部分については、同一の符号を付して詳細な説明を省略する。
【００８４】
（実施の形態４）
図１０は、実施の形態４に係る撮像装置の構成を示すブロック図である。実施の形態４に係る撮像装置は、発光ダイオードモジュール４と、外光測定部７と、開閉検出スイッチ１２と、操作部３３と、撮像装置はレンズ６と、制御部７０と、撮像素子７１と、Ａ／Ｄ変換部７２と、信号処理部７３と、記録再生部７５などとを備えている。また、前記撮像装置は、発光ダイオードモジュール４の発光を発光ダイオード毎に制御する発光制御部１８を備えている。
【００８５】
実施の形態４に係る撮像装置の発光ダイオードモジュール４に備えられる高演色白色発光ダイオード４ｂ，４ｂ，４ｂは、例えば、Ｒ（赤）、Ｇ（緑）、Ｂ（青）の三原色の発光ダイオードによる混光を利用するいわゆるマルチチップ方式の白色発光ダイオードであり、高輝度白色発光ダイオード４ａ，４ａ，４ａ，４ａは、青色発光ダイオードと黄色蛍光体（Ｃａ−αサイアロン）とから構成されるシングルチップ方式の白色発光ダイオードである。つまり、１つの高演色白色発光ダイオード４ｂは、Ｒ色発光ダイオード、Ｇ色発光ダイオード及びＢ色発光ダイオードの３つの発光ダイオードにより構成されている。発光制御部１８は、各高演色白色発光ダイオード４ｂ，４ｂ，４ｂに係るＲ色発光ダイオード、Ｇ色発光ダイオード及びＢ色発光ダイオードの発光を夫々制御することにより、各高演色白色発光ダイオード４ｂ，４ｂ，４ｂの発光を制御する。
【００８６】
図１１は、実施の形態４に係る高輝度白色発光ダイオード４ａ，４ａ，４ａ，４ａ及び高演色白色発光ダイオード４ｂ，４ｂ，４ｂの放射強度（輝度）を示すグラフである。横軸は波長（ｎｍ）を示しており、縦軸は放射強度を示している。点線は高輝度白色発光ダイオード４ａ，４ａ，４ａ，４ａを示しており、実線は高演色白色発光ダイオード４ｂ，４ｂ，４ｂを示す。高輝度白色発光ダイオード４ａ，４ａ，４ａ，４ａは青色発光ダイオードの発光により励起されるので、青色発光ダイオードの光波長である４７０ｎｍ付近で最高ピークを有する。また、高演色白色発光ダイオード４ｂ，４ｂ，４ｂは、Ｒ色、Ｇ色及びＢ色の３つの発光ダイオードからなるので、６２０ｎｍ付近、５２０ｎｍ付近、４７０ｎｍ付近での３つのピークを有している。
【００８７】
図１２は、実施の形態４に係る撮像装置の構成要部の回路図である。発光ダイオードモジュール４は、電源１５及び発光制御部１８と接続している。発光ダイオードモジュール４に備えられる複数の発光ダイオードは、発光制御部１８によって夫々制御されるように構成されており、制御部７０は信号処理部７３からの信号及び外光測定部７の測定結果に基づき、発光制御部１８へ各発光ダイオードの制御を指示する。
【００８８】
発光ダイオードモジュール４は、４つの高輝度白色発光ダイオード４ａ，４ａ，４ａ，４ａ及び３つの高演色白色発光ダイオード４ｂ，４ｂ，４ｂを備えており、４つの高輝度白色発光ダイオード４ａ，４ａ，４ａ，４ａは直列に接続され高輝度白色発光ダイオード列を構成している。各高演色白色発光ダイオード４ｂは、Ｒ色発光ダイオード４ｂＲ、Ｇ色発光ダイオード４ｂＧ及びＢ色発光ダイオード４ｂＢからなり、Ｒ色発光ダイオード４ｂＲ、Ｇ色発光ダイオード４ｂＧ及びＢ色発光ダイオード４ｂＢは電源１５に対して並列に接続されて１つの高演色白色発光ダイオード４ｂをなしている。４つの高輝度白色発光ダイオード４ａ，４ａ，４ａ，４ａの高輝度白色発光ダイオード列及び３つ高演色白色発光ダイオード４ｂ，４ｂ，４ｂの各Ｒ色発光ダイオード４ｂＲ同士、各Ｇ色発光ダイオード４ｂＧ同士及び各Ｂ色発光ダイオード４ｂＢ同士は、夫々直列に接続されている。また、前記高輝度白色発光ダイオード列及び３つ高演色白色発光ダイオード４ｂ，４ｂ，４ｂのカソード側には、定電流源１４，１４，１４，１４が夫々備えられている。発光制御部１８は、４つの高輝度白色発光ダイオード４ａ，４ａ，４ａ，４ａ及び、３つ高演色白色発光ダイオード４ｂ，４ｂ，４ｂを構成する各Ｒ色発光ダイオード４ｂＲ、Ｇ色発光ダイオード４ｂＧ及びＢ色発光ダイオード４ｂＢの定電流源１４，１４，１４，１４の電流量を制御し、発光強度などを可変し、画像の輝度、演色性、ホワイトバランス等を制御する。
【００８９】
以下に、実施の形態４において、高輝度白色発光ダイオード４ａ，４ａ，４ａ，４ａ及び高演色白色発光ダイオード４ｂ，４ｂ，４ｂの点灯、又は高演色白色発光ダイオード４ｂ，４ｂ，４ｂのみの点灯を制御する作動について説明する。
【００９０】
撮像装置の電源がオンになった場合、外光測定部７は外部の明るさを測定する。例えば、太陽光の下で使用しており、外光測定部７の測定結果が閾値以上である場合、制御部７０は発光制御部１８に、４つの高輝度白色発光ダイオード４ａ，４ａ，４ａ，４ａと、３つの高演色白色発光ダイオード４ｂ，４ｂ，４ｂに係る各Ｒ色発光ダイオード４ｂＲ、Ｇ色発光ダイオード４ｂＧ及びＢ色発光ダイオード４ｂＢとの点灯を指示する。発光制御部１８は制御部７０の指示に応じ、４つの高輝度白色発光ダイオード４ａ，４ａ，４ａ，４ａ並びに、各Ｒ色発光ダイオード４ｂＲ、Ｇ色発光ダイオード４ｂＧ及びＢ色発光ダイオード４ｂＢを点灯させて輝度を高め、画像の視認性を高める。
【００９１】
一方、屋内で使用することにより、外光測定部７の測定結果が閾値未満である場合、制御部７０は発光制御部１８に、３つの高演色白色発光ダイオード４ｂ，４ｂ，４ｂに係る各Ｒ色発光ダイオード４ｂＲ、Ｇ色発光ダイオード４ｂＧ及びＢ色発光ダイオード４ｂＢのみの点灯を指示する。発光制御部１８は制御部７０の指示に応じ、４つの高輝度白色発光ダイオード４ａ，４ａ，４ａ，４ａを消灯させ、各Ｒ色発光ダイオード４ｂＲ、Ｇ色発光ダイオード４ｂＧ及びＢ色発光ダイオード４ｂＢのみを点灯させる。つまり、演色性の劣る高輝度白色発光ダイオード４ａ，４ａ，４ａ，４ａを消灯させて演色性の良い高演色白色発光ダイオード４ｂ，４ｂ，４ｂのみを点灯させることにより、液晶パネル２０の演色性が高まり、高画質の画像の本来の色を楽しむことが出来るうえに、消費電力を低減することが出来る。
【００９２】
図１３は、実施の形態４に係る撮像装置のホワイトバランス調整における制御部７０の処理順序を説明するフローチャートである。
【００９３】
外部からの入射光がレンズ６に入射すると、入射光は撮像素子７１に結像される（Ｓ１０１）。次いで、撮像素子７１は結像した像をアナログの撮像信号に光電変換し（Ｓ１０２）、Ａ／Ｄ変換部７２へ送出する。Ａ／Ｄ変換部７２は、アナログの撮像信号をデジタルの撮像データにＡＤ変換し（Ｓ１０３）、ＡＤ変換した撮像データを信号処理部７３へ送出する。
【００９４】
信号処理部７３は、ＡＤ変換した撮像データからいわゆるＲ信号、Ｇ信号及びＢ信号を生成し（Ｓ１０４）、制御部７０へ送出る。制御部７０は信号処理部７３から送出されたＲ信号、Ｇ信号及びＢ信号に基づいて色温度を求める（Ｓ１０５）。次いで、制御部７０は前記色温度に基づき、Ｒ信号、Ｇ信号及びＢ信号の補正すべき値を算出する（Ｓ１０６）。制御部７０は、算出の結果に基づき、発光制御部１８に各Ｒ色発光ダイオード４ｂＲ、Ｇ色発光ダイオード４ｂＧ及びＢ色発光ダイオード４ｂＢの発光強度の制御を指示する（Ｓ１０７）。発光制御部１８は制御部７０の指示に応じて、各Ｒ色発光ダイオード４ｂＲ、Ｇ色発光ダイオード４ｂＧ及びＢ色発光ダイオード４ｂＢの電流を制御して発光強度の制御を行い、画像のホワイトバランス調整が行われる（Ｓ１０８）。例えば、赤い夕日の中での画像の表示においては、各Ｒ色発光ダイオード４ｂＲの電流を減少させて発光強度を下げることにより、画像のホワイトバランス調整を行う。
【００９５】
実施の形態４においては、１つの高演色白色発光ダイオード４ｂが、Ｒ（赤）色発光ダイオード、Ｇ（緑）色発光ダイオード、Ｂ（青）色発光ダイオードの３つの発光ダイオードにより構成されている場合を例として説明したが、これに限るものでなく、例えば、青緑色発光ダイオード及び赤色発光ダイオードの２つの発光ダイオードにより構成される白色発光ダイオードであっても良い。
【００９６】
実施の形態１乃至実施の形態３と同様の部分については、同一の符号を付して詳細な説明を省略する。
【００９７】
（実施の形態５）
図１４は、実施の形態５に係る撮像装置の構成要部の回路図である。実施の形態５に係る撮像装置は、発光ダイオードモジュール４が電源１５及び発光制御部１８と接続している。発光制御部１８は発光ダイオードモジュール４に備えられる複数の発光ダイオードを制御するように構成されている。また、制御部７０を備えており、外光の色温度を測定する色温度測定部１９及び外部の明るさを測定する外光測定部７を更に備えている。制御部７０は色温度測定部１９及び外光測定部７の測定結果に基づき、発光制御部１８へ各発光ダイオードの制御を指示する。
【００９８】
発光ダイオードモジュール４は、４つの高輝度白色発光ダイオード４ａ，４ａ，４ａ，４ａ及び３つの高演色白色発光ダイオード４ｂ，４ｂ，４ｂを備えており、４つの高輝度白色発光ダイオード４ａ，４ａ，４ａ，４ａは直列に接続され高輝度白色発光ダイオード列を構成している。各高演色白色発光ダイオード４ｂは、夫々Ｒ色発光ダイオード４ｂＲ、Ｇ色発光ダイオード４ｂＧ及びＢ色発光ダイオード４ｂＢからなり、Ｒ色発光ダイオード４ｂＲ、Ｇ色発光ダイオード４ｂＧ及びＢ色発光ダイオード４ｂＢは電源１５に対して並列に接続されて１つの高演色白色発光ダイオード４ｂをなしている。３つのＢ色発光ダイオード４ｂＢ同士は直列に接続されており、４つの高輝度白色発光ダイオード４ａ，４ａ，４ａ，４ａの高輝度白色発光ダイオード列と直列に接続している。３つのＲ色発光ダイオード４ｂＲ同士及び３つのＧ色発光ダイオード４ｂＧ同士は、夫々直列に接続されている。
【００９９】
また、高輝度白色発光ダイオード列のアノード側にはバイパス線４ｄを設けており、バイパス線４ｄにはスイッチＳを設け、バイパス線４ｄの通電を断続することが可能に構成されている。バイパス線４ｄは、高輝度白色発光ダイオード列のアノード側にて分岐され、前記一の高演色白色発光ダイオード４ｂのアノード側と接続している。従って、スイッチＳが閉とされた場合、電源１５からの電流は高輝度白色発光ダイオード列に流れずにバイパス線４ｄを介して前記一の高演色白色発光ダイオード４ｂに流れることとなり、前記一の高演色白色発光ダイオード４ｂのみが点灯される。一方、スイッチＳが開とされた場合、電源１５からの電流は高輝度白色発光ダイオード列を介して前記一の高演色白色発光ダイオード４ｂに流れることとなり、高輝度白色発光ダイオード列及び前記一の高演色白色発光ダイオード４ｂが点灯される。
【０１００】
発光制御部１８は、スイッチＳと、３つ高演色白色発光ダイオード４ｂ，４ｂ，４ｂを構成する各Ｒ色発光ダイオード４ｂＲ、Ｇ色発光ダイオード４ｂＧ及びＢ色発光ダイオード４ｂＢの発光強度とを制御し、画像の輝度、演色性、ホワイトバランス等を制御する。
【０１０１】
制御部７０には、ホワイトバランス制御における各Ｒ色発光ダイオード４ｂＲ、Ｇ色発光ダイオード４ｂＧ及びＢ色発光ダイオード４ｂＢの出力すべき発光強度が記録された発光強度テーブルが記憶されている。図１５は発光強度テーブルの一例を示す例示図である。前記発光強度テーブルには色温度測定部１９による外光色温度と、該外光色温度に対応するＲ色発光ダイオード、Ｇ色発光ダイオード及びＢ色発光ダイオード毎の出力すべき発光強度とが夫々記録されている。制御部７０は前記発光強度テーブルに基づき、各Ｒ色発光ダイオード４ｂＲ、Ｇ色発光ダイオード４ｂＧ及びＢ色発光ダイオード４ｂＢの発光強度の制御を、発光制御部１８に指示する。
【０１０２】
以下に、実施の形態５において、高輝度白色発光ダイオード４ａ，４ａ，４ａ，４ａ及び高演色白色発光ダイオード４ｂ，４ｂ，４ｂの点灯、又は高演色白色発光ダイオード４ｂ，４ｂ，４ｂのみの点灯を制御する作動について説明する。
【０１０３】
撮像装置の電源がオンになった場合、外光測定部７は外部の明るさを測定する。例えば、太陽光の下で使用しており、外光測定部７の測定結果が閾値以上である場合、制御部７０は発光制御部１８に、スイッチＳの開と、３つの高演色白色発光ダイオード４ｂ，４ｂ，４ｂに係る各Ｒ色発光ダイオード４ｂＲ、Ｇ色発光ダイオード４ｂＧ及びＢ色発光ダイオード４ｂＢの点灯を指示する。発光制御部１８は制御部７０の指示に応じ、スイッチＳを開とする。電源１５からの電流は高輝度白色発光ダイオード列を介して３つのＢ色発光ダイオード４ｂＢへ流れると共に、３つのＲ色発光ダイオード４ｂＲ及び３つのＧ色発光ダイオード４ｂＧに流れる。従って、４つの高輝度白色発光ダイオード４ａ，４ａ，４ａ，４ａ及び３つの高演色白色発光ダイオード４ｂ，４ｂ，４ｂに係る各Ｒ色発光ダイオード４ｂＲ、Ｇ色発光ダイオード４ｂＧ及びＢ色発光ダイオード４ｂＢが点灯される。従って、輝度が高くなり、画像の視認性が高くなる。
【０１０４】
一方、屋内で使用することにより、外光測定部７の測定結果が閾値未満である場合、制御部７０は発光制御部１８に、スイッチＳの閉と、３つの高演色白色発光ダイオード４ｂ，４ｂ，４ｂに係る各Ｒ色発光ダイオード４ｂＲ、Ｇ色発光ダイオード４ｂＧ及びＢ色発光ダイオード４ｂＢの点灯を指示する。発光制御部１８は制御部７０の指示に応じ、スイッチＳを閉とする。従って、電源１５からの電流は高輝度白色発光ダイオード列へ流れずに、バイパス線４ｄを介して３つのＢ色発光ダイオード４ｂＢへ流れると共に、３つのＲ色発光ダイオード４ｂＲ及び３つのＧ色発光ダイオード４ｂＧに流れる。従って、３つの高演色白色発光ダイオード４ｂ，４ｂ，４ｂの各Ｒ色発光ダイオード４ｂＲ、Ｇ色発光ダイオード４ｂＧ及びＢ色発光ダイオード４ｂＢのみが点灯され、演色性の劣る高輝度白色発光ダイオード４ａ，４ａ，４ａ，４ａを消灯させて演色性の良い高演色白色発光ダイオード４ｂ，４ｂ，４ｂのみを点灯させることにより、液晶パネル２０の演色性が高まり、高画質の画像の本来の色を楽しむことが出来るうえに、消費電力を低減することが出来る。
【０１０５】
以下、実施の形態５に係る撮像装置のホワイトバランス調整を説明する。前記ホワイトバランス調整は、前記色温度テーブルに基づいて行われる。説明の便宜上、前記発光強度テーブルは、色温度測定部１９による測定の結果、外光色温度が４０００ｋ〜４９９９ｋの範囲内にある場合を基準とし、この場合のＲ色発光ダイオード、Ｇ色発光ダイオード及びＢ色発光ダイオードの出力すべき発光強度を夫々１，１，１とする。
【０１０６】
例えば、色温度測定部１９による測定の結果、外光色温度が５０００ｋ〜５９９９ｋの範囲内にある場合、前記発光強度テーブルにおいて、前記範囲内に係るＲ色発光ダイオード、Ｇ色発光ダイオード及びＢ色発光ダイオードの出力すべき発光強度は夫々１＋Δａ，１，１−Δａである。従って、制御部７０は前記発光強度テーブルに基づいて発光制御部１８に各Ｒ色発光ダイオード４ｂＲ、Ｇ色発光ダイオード４ｂＧ及びＢ色発光ダイオード４ｂＢの発光強度の制御を指示する。制御部７０の指示に応じて発光制御部１８は、電流を制御することによって各Ｒ色発光ダイオード４ｂＲ、Ｇ色発光ダイオード４ｂＧ及びＢ色発光ダイオード４ｂＢの発光強度を夫々１＋Δａ，１，１−Δａになるように調整し、ホワイトバランス調整が行われる。
【０１０７】
例えば、色温度測定部１９による測定の結果、外光色温度が３０００ｋ〜３９９９ｋの範囲内にある場合、前記発光強度テーブルにおいて、前記範囲内に係るＲ色発光ダイオード、Ｇ色発光ダイオード及びＢ色発光ダイオードの出力すべき発光強度は夫々１−Δｂ，１，１＋Δｂである。従って制御部７０は前記発光強度テーブルに基づいて発光制御部１８に各Ｒ色発光ダイオード４ｂＲ、Ｇ色発光ダイオード４ｂＧ及びＢ色発光ダイオード４ｂＢの発光強度の制御を指示する。制御部７０の指示に応じて発光制御部１８は、電流を制御することによって各Ｒ色発光ダイオード４ｂＲ、Ｇ色発光ダイオード４ｂＧ及びＢ色発光ダイオード４ｂＢの発光強度を夫々１−Δｂ，１，１＋Δｂになるように調整し、ホワイトバランス調整が行われる。
【０１０８】
実施の形態１乃至実施の形態４と同様の部分については、同一の符号を付して詳細な説明を省略する。
【０１０９】
実施の形態１乃至実施の形態５においては、撮像装置の電源がオンになった場合のみ、外光測定部７が外部の明るさを測定する場合について説明したが、これに限るものではなく、外光測定部７が所定時間間隔で外部の明るさを測定するように構成しても良い。
【０１１０】
実施の形態１及び実施の形態５においては、高輝度白色発光ダイオードの数が高演色白色発光ダイオードの数より多い場合について説明したが、これに限るものではなく、高輝度白色発光ダイオードの数と高演色白色発光ダイオードの数を同一にしても良く、高演色白色発光ダイオードの数が高輝度白色発光ダイオードの数より多くても良い。
【０１１１】
実施の形態１及び実施の形態５においては、外光測定部７による外部の明るさの測定結果に基づき、高輝度白色発光ダイオード４ａ，４ａ，４ａ，４ａ又は高演色白色発光ダイオード４ｂ，４ｂ，４ｂの点灯を制御する場合を例として説明したが、これに限るものでない。例えば、撮像素子７１に結像した像を信号処理部７３にて輝度信号処理することにより、外部の明るさを測定するように構成しても良い。
【０１１２】
また、実施の形態１及び実施の形態５においては、いわゆるエッジライト型（サイドライト型）バックライトを例として説明したが、これに限るものでなく、直下型バックライトであっても良い。
【０１１３】
また、実施の形態１及び実施の形態５においては、撮像装置を例として説明したが、これに限るものでなく、例えば携帯電話機、ポータブルＤＶＤ、ポータブルゲーム器、ＰＤＡ（Ｐｅｒｓｏｎａｌ  Ｄｉｇｉｔａｌ  Ａｓｓｉｓｔａｎｔｓ）などにも適用できる。
【図面の簡単な説明】
【０１１４】
【図１】本発明に係る液晶表示装置を備える撮像装置の略示斜視図である。
【図２】液晶パネルを照明する白色発光ダイオード（白色光源）の配置を示す模式図である。
【図３】高輝度白色発光ダイオード及び高演色白色発光ダイオードの放射強度（輝度）を示すグラフである。
【図４】実施の形態１に係る撮像装置の構成を示すブロック図である。
【図５】実施の形態１に係る撮像装置の発光ダイオードモジュール及び制御部の回路図である。
【図６】実施の形態２に係る撮像装置の構成を示すブロック図である。
【図７】実施の形態２に係る撮像装置の発光ダイオードモジュール及び制御部の回路図である。
【図８】実施の形態３に係る撮像装置の構成を示すブロック図である。
【図９】実施の形態３に係る撮像装置の発光ダイオードモジュール及び制御部の回路図である。
【図１０】実施の形態４に係る撮像装置の構成を示すブロック図である。
【図１１】実施の形態４に係る高輝度白色発光ダイオード及び高演色白色発光ダイオードの放射強度（輝度）を示すグラフである。
【図１２】実施の形態４に係る撮像装置の構成要部の回路図である。
【図１３】実施の形態４に係る撮像装置のホワイトバランス調整における制御部の処理順序を説明するフローチャートである。
【図１４】実施の形態５に係る撮像装置の構成要部の回路図である。
【図１５】発光強度テーブルの一例を示す例示図である。
【符号の説明】
【０１１５】
４ａ  高輝度白色発光ダイオード
４ｂ  高演色白色発光ダイオード
４ｂＲ  Ｒ色発光ダイオード
４ｂＧ  Ｇ色発光ダイオード
４ｂＢ  Ｂ色発光ダイオード
７  外光測定部
８  電圧変化部
９  切替スイッチ(切替部)
１８  発光制御部
１９  色温度測定部
２０  液晶パネル
２２  バックライト
【図１】
2008090270.tif 000003
【図２】
2008090270.tif 000004
【図３】
2008090270.tif 000005
【図４】
2008090270.tif 000006
【図５】
2008090270.tif 000007
【図６】
2008090270.tif 000008
【図７】
2008090270.tif 000009
【図８】
2008090270.tif 000010
【図９】
2008090270.tif 000011
【図１０】
2008090270.tif 000012
【図１１】
2008090270.tif 000013
【図１２】
2008090270.tif 000014
【図１３】
2008090270.tif 000015
【図１４】
2008090270.tif 000016
【図１５】
2008090270.tif 000017